(57)【要約】      （修正有）【課題】装飾物の取り換えが容易に行え、且つ携帯情報端末機器を卓上などに置くことが出来、携帯情報端末機器の操作の邪魔にならない、ケース構造を提供する。【解決手段】携帯情報端末機器Ａの背面側に着脱可能に装着されるケース本体１０と、ケース本体１０の携帯情報端末機器が装着される側と反対側の背面壁１１に設けられた第１取付け部２０と、装飾物Ｂの背面に設けられて第１取付け部２０に着脱自在に取り付けられる第２取付け部と、を備え、第１取付け部２０には、第２取付け部をスライド自在に受け入れて該第２取付け部を保持するスライド溝２１が設けられ、第２取付け部は、装飾物の背面に固定される嵌合凹部を有する雌部材と、スライド溝２１にスライド自在に取り付けられ該嵌合凹部に回転可能且つ着脱自在に嵌合する嵌合凸部を有する雄部材と備え、雌部材と雄部材にクリッキ機構を設けて雄部材に対して雌部材を所定角度ごとに回転させて止める構造。【選択図】図１
0003183500.tif 000002
【実用新案登録請求の範囲】
【請求項１】
携帯情報端末機器の背面側に、人形、動物等の縫い包み、及び立体の縫製品や成型品などの装飾物を所定角度ごとに回転させて止めることが出来るように装着するためのケース装置であって、
携帯情報端末機器の背面側に着脱可能に装着されるケース本体と、
前記ケース本体の、前記携帯情報端末機器が装着される側と反対側の背面に設けられた第１取付け部と、
前記装飾物の背面に設けられ、前記第１取付け部に着脱自在に取り付けられる第２取付け部と、を備え、
前記第１取付け部は、レール部材からなり、該レール部材の周面に沿って前記第２取付け部をスライド自在に受け入れて該第２取付け部を保持するスライド保持部が設けられ、
前記第２取付け部は、前記装飾物の背面に固定される、嵌合凹部を有する雌部材と、前記スライド溝にスライド自在に取り付けられ、該嵌合凹部に回転可能且つ着脱自在に嵌合して連結する嵌合凸部を有する雄部材とを備え、
前記雌部材と前記雄部材の何れか一方にクリック突起を設け、他方に該クリック突起が嵌り、抜出ることが可能なクリック窪みを設けて、前記雄部材に対して前記雌部材を所定角度ごとに回転させて止めることが出来るように構成してなることを特徴とする、携帯情報端末機器用のケース装置。
【請求項２】
請求項１に記載の携帯情報端末機器用のケース装置において、
前記レール部材は略コ字状に形成され、
前記スライド保持部は、略コ字状のレール部材の内周面に沿うスライド溝で形成され、
前記雌部材は、前記装飾物の背面に固定される基板を備え、該基板の前記装飾物に固定される面と反対側の面に前記嵌合凹部を設け、
前記雄部材は、前記スライド溝にスライド自在に嵌め込まれる略方形状の基板を備え、該基板上に前記嵌合凸部を設けてなり、
前記嵌合凹部と前記嵌合凸部の何れか一方に保持窪み部を設け、他方に該保持窪み部に係合する保持突起を設けて、前記嵌合凸部が前記嵌合凹部に回転可能且つ着脱自在に嵌合して連結するように構成してなることを特徴とする、携帯情報端末機器用のケース装置。
【考案の詳細な説明】
【技術分野】
【０００１】
本考案は、人形、動物の縫い包み、及び立体の縫製品や成型品などの装飾物を携帯電話、スマートフォンなどの携帯情報端末機器に装着するための、携帯情報端末機器用のケース構造に関する。
【０００２】
【背景技術】
【０００３】
本考案は、人形、動物の縫い包み、及び立体の縫製品や成型品などの装飾物を携帯電話、スマートフォンなどの携帯情報端末機器に装着するための、携帯情報端末機器用のケース構造に関する。
【０００４】
装飾性を向上させる目的や趣向に合わせる目的などで人形、動物等の縫い包み、及び立体の縫製品や成型品などの装飾物を、携帯ストラップを利用して携帯電話、スマートフォンなどの携帯情報端末機器に取り付けることが知られている（特許文献１参照）。また、同じ目的で携帯情報端末機器を保護する収容ケース自体に動物などの模様、例えば動物の胴体部分の模様を付し、携帯情報端末機器自体にもこの模様に合わせて立体装飾物、例えば動物の頭部を形作った装飾物を取付けることも知られている（実用新案登録第３０４７１３８号）。
【先行技術文献】
【特許文献】
【０００５】
【特許文献１】特開２００１−３５３０１７号公報
【特許文献１】実用新案登録第３０４７１３８号公報
【考案の概要】
【考案が解決しようとする課題】
【０００６】
スマートフォンなどに代表される携帯情報端末機器では、季節の変わり目、趣向などに合わせて装飾物を頻繁に取り換えることがある。また、通話の他にインターネットを介してウエブサイト上の情報を検索するに使用することが多く、この場合、携帯情報端末機器の情報表示画面を見やすい角度に維持して卓上などに置いて使用することがある。
【０００７】
しかし、前者の携帯ストラップや後者の収容ケースでは、装飾物の取り換えについて、前者の携帯ストラップでは手間が掛かり、後者の収容ケースではケースそのものを取り換える必要がある。また、卓上などに携帯情報端末機器を置いて情報表示画面を見やすい角度に維持するような使い方が難しい。さらに、通話時においても、前者の携帯ストラップを介して装飾物を取り付けていると、通話操作などの携帯情報端末機器操作の邪魔になることもある。
【０００８】
本考案は装飾物の取り換えが容易に行えて装飾性や趣向性などを向上させることが可能で且つ情報表示画面を見やすい角度に維持して携帯情報端末機器を卓上などに置くことが出来、通話操作などの携帯情報端末機器操作の邪魔にならない、携帯情報端末機器用のケース構造を提供することを目的とする。
【課題を解決するための手段】
【０００９】
本考案の請求項１に記載の携帯情報端末機器用のケース装置は、携帯情報端末機器の背面側に、人形、動物等の縫い包み、及び立体の縫製品や成型品などの装飾物を所定角度ごとに回転させて止めることが出来るように装着するためのケース装置であって、携帯情報端末機器の背面側に着脱可能に装着されるケース本体と、前記ケース本体の、前記携帯情報端末機器が装着される側と反対側の背面に設けられた第１取付け部と、前記装飾物の背面に設けられ、前記第１取付け部に着脱自在に取り付けられる第２取付け部と、を備え、前記第１取付け部は、レール部材からなり、該レール部材の周面に沿って前記第２取付け部をスライド自在に受け入れて該第２取付け部を保持するスライド保持部が設けられ、前記第２取付け部は、前記装飾物の背面に固定される、嵌合凹部を有する雌部材と、前記スライド溝にスライド自在に取り付けられ、該嵌合凹部に回転可能且つ着脱自在に嵌合して連結する嵌合凸部を有する雄部材とを備え、前記雌部材と前記雄部材の何れか一方にクリック突起を設け、他方に該クリック突起が嵌り、抜出ることが可能なクリック窪みを設けて、前記雄部材に対して前記雌部材を所定角度ごとに回転させて止めることが出来るように構成してなることを特徴とする。
【００１０】
本考案の請求項２に記載の携帯情報端末機器用のケース装置は、前記レール部材が、略コ字状に形成され、前記スライド保持部が、略コ字状のレール部材の内周面に沿うスライド溝で形成され、前記雌部材が、前記装飾物の背面に固定される基板を備え、該基板の前記装飾物に固定される面と反対側の面に前記嵌合凹部を設け、前記雄部材が、前記スライド溝にスライド自在に嵌め込まれる略方形状の基板を備え、該基板上に前記嵌合凸部を設けてなり、前記嵌合凹部と前記嵌合凸部の何れか一方に保持窪み部を設け、他方に該保持窪み部に係合する保持突起を設けて、前記嵌合凸部が前記嵌合凹部に回転可能且つ着脱自在に嵌合して連結するように構成してなることを特徴とする。
【考案の効果】
【００１１】
本考案によれば、携帯情報端末機器に装着されるケース本体側に第１取付け部を設け、第２取付け部を装飾物側に設け、第２取付け部を第１取付け部に対してスライド操作することで第１取付け部に着脱自在に取り付けるようにしてあるので、装飾物の取り換えが容易に行えて装飾性や趣向性などを向上させることが可能で且つ装飾物を利用して携帯情報端末機器をその情報表示画面を見やすい角度に維持して卓上などに置くことが出来、装飾物が通話操作などの携帯情報端末機器の操作の邪魔にならない。
【図面の簡単な説明】
【００１２】
【図１】本考案の携帯情報端末機器用のケース装置の第１実施例を示し、図１（ａ）はケース装置を構成するケース本体の背面図、同図（ｂ）はケース本体の一部切欠いた右側面図、同図（ｃ）はケース本体の横断面図である。
【図２】装飾物の背面に設けられる、ケース装置を構成する、第２取付け部を示し、図２（ａ）はケース本体の背面と対面する側の平面図、図２（ｂ）は装飾物の背面と対面する側の平面図である。
【図３】図２の第２取付け部の一方の部材である雌部材を示し、図３（ａ）は平面図、図３（ｂ）は側面図である。
【図４】図２の第２取付け部の他方の部材である雄部材を示し、図４（ａ）は平面図、図４（ｂ）は側面図である。
【図５】図５（ａ）は図３に示す雌部材（嵌合凹部）を図４に示す雄部材（嵌合凸部）に嵌合する前の状態を説明する断面図、図５（ｂ）は図３に示す雌部材（嵌合凹部）を図４に示す雄部材（嵌合凸部）に嵌合して連結した後の状態を説明する断面図、図５（ｃ）は雌部材と雄部材に設けたクリック機構を示す部分平面図である。
【図６】前記ケース本体の背面に設けた第１取付け部に前記第２取付け部を取付けて前記装飾物を９０度回転させた状態を示す平面図である。
【考案を実施するための形態】
【実施例１】
【００１３】
図１乃至図６は本考案の携帯情報端末機器用のケース装置の一実施例を示す。
【００１４】
図１（ａ）乃至（ｃ）は、本実施例の携帯情報端末機器用のケース装置を構成するケース本体１０を示し、背面壁１１と左右側壁１２，１３を残して前面と前端面及び後端面がそれぞれ開口１４（図１（ｃ）参照），１５，１６（図１（ｂ）参照）した略ボックス状に形成される。ケース本体１０は、その背面壁１１及び左右側壁１２，１３が携帯情報端末機器Ａの背面及び左右側面にそれぞれ当接し、携帯情報端末機器Ａに装着したり、携帯情報端末機器Ａから取り外したりすることが出来るようにしてある。すなわち、ケース本体１０は、携帯情報端末機器Ａの背面側に着脱可能に装着できるように構成される。
【００１５】
例えば、前記背面壁１１の前後端及び前記左右側壁１２，１３の上端に、ケース本体１０の内側に僅かに突出する突起１１ａ（図１（ｂ）参照），１２ａ，１３ａ（図１（ｃ）参照）がそれぞれ設けられる。これら突起１１ａ，１２ａ，１３ａは、携帯情報端末機器Ａの前面（情報表示画面や操作キーなどが配列された面側）周縁部に着脱（取外し）可能に引っ掛り、携帯情報端末機器Ａがケース本体１０からみだりに抜け出ないように保持する。携帯情報端末機器Ａをケース本体１０から少し持ち上げるなどすれば、突起１１ａ，１２ａ，１３ａは、携帯情報端末機器Ａの前面側の周縁部から外れて、携帯情報端末機器Ａをケース本体１０から取り外すことが出来る。なお、図１（ａ），（ｂ）中、１０ａは携帯情報端末機器Ａのカメラなどの撮影機器のための穴であり、また１０ｂは携帯情報端末機器Ａに接続するイヤホンなどのコード類のための切欠きである。
【００１６】
前記背面１０ａの後端部（図１（ａ）の下側）寄りには略コ字状のレール部材からなる第１取付け部２０が設けられる。この第１取付け部２０は、ケース本体１０の左側壁１３（図１（ａ）の右側）で開口２０ａし、その内周面に沿ってスライド保持部としてのスライド溝２１が形成される。
【００１７】
前記スライド溝２１を介して第２取付け部３０（図２（ａ）、（ｂ）参照）が前記第１取付け部２０に着脱自在に取付けられる。この第２取付け部３０は、人形、動物等の縫い包み、及び立体の縫製品や成型品などの装飾物Ｂ（図６参照）の背面に取り付けられ、装飾物Ｂを、前記ケース本体１０を介して携帯情報端末機器Ａに装着するものである。
【００１８】
なお、本明細書中で装飾物Ｂとは、
１．人形からなる装飾物（縫製品や成型品の人形からなる装飾物）、
２．動物等の縫い包みからなる装飾物、
３．立体の縫製品や成型品からなる装飾物、
４．人形と動物等の縫い包みと立体の縫製品や成型品を含む装飾物など、
上記１乃至４に記載の何れかの装飾物をいう。
【００１９】
人形と動物等の縫い包みと立体の縫製品や成型品を含む装飾物（４）にのみ限定されるものではなく、また人形からなる装飾物（１）のみに限定されるものではなく、さらに動物等の縫い包みからなる装飾物（２）のみに限定されるものではなく、さらにまた立体の縫製品や成型品からなる装飾物（３）のみに限定されるものではない。
【００２０】
前記第２取付け部３０は、図２乃至図５に示すように、装飾物Ｂの背面に固定される、雌部材３１と、前記スライド溝２１にスライド自在に取り付けられる雄部材３２とを備えて構成される。
【００２１】
前記雌部材３１は、図３（ａ），（ｂ）に示すように、装飾物Ｂの背面に固定される基板３３を備え、この基板３３の装飾物Ｂの背面に固定される面と反対側の面に嵌合凹部３４を設ける。この嵌合凹部３４は、同心円状に設けた２つのリング状の外周壁３４ａと内周壁３４ｂとにより構成される。
【００２２】
前記雄部材３２は、図４（ａ），（ｂ）に示すように、前記スライド溝２１にスライド自在に嵌め込まれる略方形状の基板３５を備え、この基板３５のケース本体１０の背面に対面（摺接）する面と反対側の面に嵌合凸部３６を設ける。この嵌合凸部３６は、リング状の外周壁３６ａとこの外周壁３６ａで囲まれた空間内に同心円状に設けた円柱部３６ｂとにより構成される。
【００２３】
前記基板３５の前記スライド溝２１に係合する各側部寄りにはそれぞれスリット３７ａが側部に沿って設けられ、また各側部にはその長さ方向の略中央位置にそれぞれ突起３７ｂが設けられる。スリット３７ａは、基板３５をスライド溝２１に係合させる際、突起３７ｂがスライド溝２１の内壁に押されて基板３５の側部が撓むのを許容するもので、これにより、突起３７ｂがスライド溝２１の内壁に圧接し、基板３５（第２取付け部３２）がスライド溝２１（第１取付け部３１）に対してみだりに外れることがなく、しっかりと取り付けられる。
【００２４】
図５（ａ）、（ｂ）に示すように、前記雌部材３１の２つの外周壁３４ａと内周壁３４ｂとの間にはリング状の隙間３４ｃが設けられ、この隙間３４ｃに前記雄部材３２のリング状の外周壁３６ａが回転可能に嵌合する。また、内周壁３４ｂ内には円柱状の空間３４ｄが設けられ、この空間３４ｄに雄部材３２の円柱部３６ｂが回転可能に嵌合する。
【００２５】
前記雌部材３１の内周壁３４ｂにはその内周面に沿って保持窪み３４ｅが設けられ、前記雄部材３２の円柱部３６ｂの外周面にはその周方向に沿って適宜間隔をあけて複数（図４（ａ）では４個）の保持突起３６ｃが設けられる。これら保持突起３６ｃは保持窪み３４ｅに着脱自在に係合する。
【００２６】
前記雌部材３１の隙間３４ｃに前記雄部材３２の外周壁３６ａを嵌合し、内周壁３４ｂ内の空間３４ｄに円柱部３６ｂを嵌合し、雌部材３１の保持窪み３４ｅに雄部材３２の保持突起３６ｃを係合させることにより、雌部材３１と雄部材３２が互いに回転可能で且つ着脱自在に嵌合して連結される。
【００２７】
前記雌部材３１と前記雄部材３２には、雌部材３１が雄部材３２に対してみだりに回転するのを防止し且つ雌部材３１が雄部材３２に対して回転させたときクリック感が得られるようにクリック機構３８（図５（ｃ）参照  同図ではクリック機構３８に関連しない部材を省略して図示している）を設ける。具体的には、前記雌部材３１の外周壁３４ａの内周面には周方向に適宜間隔をあけて複数（図３（ａ）では４つ）のクリック窪み３８ａを設け、前記雄部材３２の外周壁３６ａの外周面には周方向に適宜間隔をあけて複数（図４（ａ）では２つ）のクリック突起３８ｂを設ける。雌部材３１を雄部材３２に対して回転させるとクリック窪み３８ａにクリック突起３８ｂが嵌り、さらに回転させるとクリック窪み３８ａからクリック突起３８ｂが抜出る。本実施例では、４つのクリック窪み３８ａを設けて、雌部材３１を雄部材３２に対して９０度ごとに回転させて止めることが出来るようにしてある。
【００２８】
次に図６を参照して装飾物Ｂを携帯情報端末機器Ａ（図１（ｃ）参照）の背面側に装着する手順について説明する。
【００２９】
装飾物Ｂの背面側に取り付けた前記第２取付け部材３０を、携帯情報端末機器Ａに装着した前記ケース本体１０の背面側の前記第１取付け部２０に挿入して取り付ける。これを具体的に説明すると、第２取付け部３０（雄部材３２）の前記基板３５を第１取付け部２０の前記開口２０ａ側からスライドさせて挿入し、基板３５の一端部と両側部とを前記スライド溝２１に係合させる。このとき基板３５の両側部に設けた前記突起３７ｂがスライド溝２１の内壁に圧接することにより、基板３５が第１取付け部２０内にしっかりと嵌り（取り付けられ）、みだりに第１取付け部２０から抜け出るおそれはない。これにより、装飾物Ｂを携帯情報端末機器Ａの背面側にしっかりと装着することが出来る。
【００３０】
次いで、前記第１取付け部２０内に挿入して取り付けられた前記基板３５（前記雄部材３２）に対して装飾物Ｂを回転させると、前記雌部材３１が装飾物Ｂと共に回転する。このとき、雌部材３１（装飾物Ｂ）を、前記クリック機構３８により雄部材３２（携帯情報端末機器Ａ）に対して９０度ごとに回転させて止めることができ、これにより好みに合わせた角度で装飾物Ｂを携帯情報端末機器Ａの背面側に装着出来る。
【００３１】
装飾物Ｂを取り外したり、交換したりするときには、装飾物Ｂを介して前記雄部材３２の前記基板３５を押し、基板３５を前記第１取付け部２０の前記開口２０ａ側にスライドさせると、基板３５の一端部と両側部が前記スライド溝２１から外れて（前記第２取付け部３０が第１取付け部２０から外れて）、装飾物Ｂを携帯情報端末機器Ａの背面側から取り外すことが出来る。
【００３２】
別の装飾物Ｂを携帯情報端末機器Ａに装着するには、上述したように装飾物Ｂの背面側に取り付けた前記第２取付け部材３０の前記基板３５を前記第１取付け部２０の前記開口２０ａ側からスライドさせて挿入し、基板３５の一端部と両側部とを前記スライド溝２１に係合させる。これにより、別の装飾物Ｂを携帯情報端末機器Ａの背面側に装着することが出来る。
【００３３】
本実施例によれば、携帯情報端末機器Ａの背面側に装着される前記ケース本体１０に前記第１取付け部２０を設け、また装飾物Ｂの背面側に前記雌部材３１と前記雄部材３２からなる前記第２取付け部３０を設け、雄部材３２の前記基板３５を第１取付け部２０の前記スライド溝２１にスライドさせて係合させる構造にしてある。すなわち、スライド操作によって装飾物Ｂを携帯情報端末機器Ａの背面側に装着し、また装飾物Ｂを携帯情報端末機器Ａの背面側から取り外す構造にしてあるので、装飾物Ｂの交換などに手間がかからずに済み、装飾物Ｂの交換などが極めて簡単に行える。
【００３４】
また、携帯情報端末機器Ａの背面側に装飾物Ｂを装着するので、装飾物Ｂ自体をブックスタンドやブックホルダーなどにして、携帯情報端末機器Ａの情報表示画面が見やすい角度になるようにして携帯情報端末機器Ａを卓上などに置くことが可能となる。さらに、通話、メール操作、インターネット検索操作などの各種操作をする際に、装飾物Ｂが邪魔にならない。
【００３５】
また、前記雌部材３１と前記雄部材３２に前記クリック機構３８を設けて、９０度ごとに回転させて止めることができるようにしてあるので、装飾物Ｂが携帯情報端末機器Ａに対してみだりに回転するおそれはなく、装飾物Ｂを携帯情報端末機器Ａに対し好みの角度に回転させて、その好みの角度に維持した状態で使用することが可能となる。
【００３６】
さらに、前記雌部材３１の前記隙間３４ｃに前記雄部材３２の前記外周壁３６ａを嵌合し、前記内周壁３４ｂ内の前記空間３４ｄに前記円柱部３６ｂを嵌合し、雌部材３１の前記保持窪み３４ｅに雄部材３２の前記保持突起３６ｃを係合させることにより、雌部材３１と雄部材３２が互いに回転可能で且つ着脱自在に嵌合して連結する構造を採用しているので、雌部材３１を雄部材３２に対して回転させている間などで雌部材３１が雄部材３２から外れて離れることがない。
【００３７】
さらにまた、前記基板３５の前記スライド溝２１に係合する各側部寄りにはそれぞれ前記スリット３７ａを側部に沿って設け、また各側部にはその長さ方向略中央位置にそれぞれ前記突起３７ｂを設けているので、基板３５の両側部をスライド溝２１にスライドさせて係合する際、基板３５の両側部が若干撓み、無理な力で基板３５を押すようなことをしなくても済み、係合させた後は突起３７ｂがスライド溝２１の内壁に圧接し、基板３５（前記第２取付け部３０）が前記第１取付け部２０にしっかり嵌め込まれる（取り付けられる）。
【００３８】
本実施例では略コ字状のレール部材からなる第１取付け部２０を使用した場合を示したが、これに限定されるものではない。例えば、２本のレール部材で第１取付け部２０を構成してもよい。また、クリック窪み３８ａを４つ設けた場合を示したが、これに限定されるものではない。また、保持突起３６ｃを４つ設けた場合を示したが、これに限定されるものではない。
【産業上の利用可能性】
【００３９】
本考案のケース装置は、装飾物Ｂを携帯情報端末機器Ａの背面側に取り付けて飾りにする場合などに適用される。
【符号の説明】
【００４０】
１０      ケース本体
１１      背面壁
１２      側壁
１３      側壁
２０      第１取付け部
２１      スライド溝
３０      第２取付け部
３１      雌部材
３２      雄部材
３４      嵌合凹部
３５      基板
３６      嵌合凸部
３４ｅ    保持窪み
３６ｃ    保持突起
３８      クリック機構
３８ａ    クリック窪み
３８ｂ    クリック突起
Ａ        携帯情報端末機器
Ｂ        装飾物
【図１】
0003183500.tif 000003
【図２】
0003183500.tif 000004
【図３】
0003183500.tif 000005
【図４】
0003183500.tif 000006
【図５】
0003183500.tif 000007
【図６】
0003183500.tif 000008